(57)【要約】【課題】負荷機器に供給する電力を正確かつ簡易に時系列で調整することを課題とする。【解決手段】ＲＯＭ３１には、負荷装置４０に供給する電力を時系列で制御するための制御情報が、例えば「出力電圧：４．７８９Ｖ、出力時間：１０ｍｉｎ毎、停止時間：２ｍｉｎ後」のようなデータとして記憶される。一方、本体部２０は、出力ケーブル３０が装着されると、ＲＯＭ３１に記憶された時系列の制御情報を読み出し、出力電圧を間欠的に停止させたり、出力電流を徐々に減少させたりなど、ＲＯＭ３１から読み出した制御情報に基づいて負荷装置４０に供給する電力を時系列で制御する。【選択図】        図１
2006033962.tif 000002
【特許請求の範囲】
【請求項１】
電力を供給する電源本体部と、電力を消費する負荷装置および前記電源本体部の間に装着される出力ケーブルとからなる電源装置であって、
前記出力ケーブルは、前記負荷装置に供給する電力を時系列で制御するための制御情報を記憶する記憶手段を備え、
前記電源本体部は、前記記憶手段に記憶した制御情報に基づいて前記負荷装置に供給する電力を時系列で制御する制御手段を備えたことを特徴とする電源装置。
【請求項２】
前記制御手段は、前記記憶手段に記憶した制御情報から所定の時間を示す情報および所定の出力電圧または出力電流を示す情報を取得し、前記所定の時間になった場合に、前記所定の出力電圧または出力電流で前記負荷装置に電力を供給するように制御することを特徴とする請求項１に記載の電源装置。
【請求項３】
前記制御手段は、前記記憶手段に記憶した制御情報から所定の出力電流を示す情報および所定の出力電圧を示す情報を取得し、前記負荷装置に対する出力電流が前記所定の出力電流になった場合に、前記所定の出力電圧で前記負荷装置に電力を供給するように制御することを特徴とする請求項１に記載の電源装置。
【請求項４】
前記制御手段は、前記記憶手段に記憶した制御情報から所定の出力電圧を示す情報および所定の出力電流を示す情報を取得し、前記負荷装置に対する出力電圧が前記所定の出力電圧になった場合に、前記所定の出力電流で前記負荷装置に電力を供給するように制御することを特徴とする請求項１に記載の電源装置。
【請求項５】
前記制御手段は、前記記憶手段に記憶した制御情報から前記負荷装置における所定の状況を示す情報および前記電源本体部における所定の出力電圧または出力電流を示す情報を取得し、前記負荷装置の状況が前記所定の状況になった場合に、前記所定の出力電圧または出力電流で前記負荷装置に電力を供給するように制御することを特徴とする請求項１に記載の電源装置。
【請求項６】
前記記憶手段は、前記所定の時間、所定の出力電圧、所定の出力電流、所定の状況を示す情報を前記制御情報として記憶し、
前記制御手段は、前記記憶手段から前記所定の時間、所定の出力電圧、所定の出力電流、所定の状況を示す情報を取得することを特徴とする請求項２〜５のいずれか一つに記載の電源装置。
【請求項７】
前記記憶手段は、前記所定の時間、所定の出力電圧、所定の出力電流、所定の状況を示す情報を特定するための識別情報を前記制御情報として記憶し、
前記制御手段は、前記識別情報に対応付けて前記所定の時間、所定の出力電圧、所定の出力電流、所定の状況を示す情報を記憶した識別テーブルを備え、前記記憶手段から前記識別情報を読み出した後に、当該識別情報に対応する前記所定の時間、所定の出力電圧、所定の出力電流、所定の状況を示す情報を前記識別テーブルから取得することを特徴とする請求項２〜５のいずれか一つに記載の電源装置。
【請求項８】
前記制御手段は、制御目標としての所定の出力電圧または出力電流に対応付けて前記電源本体部の回路特性を踏まえた定められた回路制御データを記憶する回路テーブルを備え、前記所定の出力電圧または出力電流で前記負荷装置に電力を供給する場合には、当該出力電圧または出力電流に対応する回路制御データを前記回路テーブルから読み出し、当該回路制御データを用いて電力を供給することを特徴とする請求項２〜５のいずれか一つに記載の電源装置。
【請求項９】
前記負荷装置は、所定の時間ごとに所定の消費電圧で動作するものであって、
前記制御手段は、前記記憶手段に記憶した制御情報から前記所定の時間を示す情報および所定の消費電圧を示す情報を取得し、前記所定の時間ごとに、前記所定の消費電圧で前記負荷装置に電力を供給するとともに、前記所定の時間以外では、前記負荷装置に対する電力供給を停止するように制御することを特徴とする請求項１に記載の電源装置。
【請求項１０】
前記負荷装置は、無動作状態になった後に所定の消費電流以下になるものであって、
前記制御手段は、前記記憶手段に記憶した制御情報から前記所定の消費電流を示す情報および所定の時間を示す情報を取得し、前記負荷装置に対する出力電流が前記所定の消費電流以下となる状況が前記所定の時間の間継続した場合には、前記負荷装置への電力供給を停止するように制御することを特徴とする請求項１に記載の電源装置。
【請求項１１】
前記負荷装置は、所定の満充電圧まで充電された後に所定の消費電流以下になるものであって、
前記制御手段は、前記記憶手段に記憶した制御情報から前記所定の満充電圧を示す情報、所定の消費電流を示す情報、所定の出力電流を示す情報および所定の出力電圧を示す情報を取得し、前記所定の出力電流で前記負荷装置に電力を供給した後に、前記負荷装置の充電電圧が前記所定の満充電圧になった場合には、前記所定の出力電圧で前記負荷装置に電力を供給し、前記負荷装置に対する出力電流が前記所定の消費電流以下になった場合には、前記負荷装置への電力供給を停止するように制御することを特徴とする請求項１に記載の電源装置。
【請求項１２】
電力を消費する負荷装置に出力ケーブルを介して電力を供給する電源装置の電源制御方法であって、
前記出力ケーブルが装着された場合に、当該出力ケーブル内に設けられ、前記負荷装置に供給する電力を時系列で制御するための制御情報を記憶する記憶手段から当該制御情報を取得する取得工程と、
前記取得工程によって取得した制御情報に基づいて前記負荷装置に供給する電力を時系列で制御する制御工程と、
を含んだことを特徴とする電源制御方法。
【請求項１３】
前記負荷装置は、所定の時間ごとに所定の消費電圧で動作するものであって、
前記制御工程は、前記記憶手段に記憶した制御情報から前記所定の時間を示す情報および所定の消費電圧を示す情報を取得し、前記所定の時間ごとに、前記所定の消費電圧で前記負荷装置に電力を供給するとともに、前記所定の時間以外では、前記負荷装置に対する電力供給を停止するように制御することを特徴とする請求項１２に記載の電源制御方法。
【請求項１４】
前記負荷装置は、無動作状態になった後に所定の消費電流以下になるものであって、
前記制御工程は、前記記憶手段に記憶した制御情報から前記所定の消費電流を示す情報および所定の時間を示す情報を取得し、前記負荷装置に対する出力電流が前記所定の消費電流以下となる状況が前記所定の時間の間継続した場合には、前記負荷装置への電力供給を停止するように制御することを特徴とする請求項１２に記載の電源制御方法。
【請求項１５】
前記負荷装置は、所定の満充電圧まで充電された後に所定の消費電流以下になるものであって、
前記制御工程は、前記記憶手段に記憶した制御情報から前記所定の満充電圧を示す情報、所定の消費電流を示す情報、所定の出力電流を示す情報および所定の出力電圧を示す情報を取得し、前記所定の出力電流で前記負荷装置に電力を供給した後に、前記負荷装置の充電電圧が前記所定の満充電圧になった場合には、前記所定の出力電圧で前記負荷装置に電力を供給し、前記負荷装置に対する出力電流が前記所定の消費電流以下になった場合には、前記負荷装置への電力供給を停止するように制御することを特徴とする請求項１２に記載の電源制御方法。
【請求項１６】
電力を消費する負荷装置に出力ケーブルを介して電力を供給する電源装置としてのコンピュータに実行させる電源制御プログラムであって、
前記出力ケーブルが装着された場合に、当該出力ケーブル内に設けられ、前記負荷装置に供給する電力を時系列で制御するための制御情報を記憶する記憶手段から当該制御情報を取得する取得手順と、
前記取得手順によって取得した制御情報に基づいて前記負荷装置に供給する電力を時系列で制御する制御手順と、
をコンピュータに実行させることを特徴とする電源制御プログラム。
【請求項１７】
前記負荷装置は、所定の時間ごとに所定の消費電圧で動作するものであって、
前記制御手順は、前記記憶手段に記憶した制御情報から前記所定の時間を示す情報および所定の消費電圧を示す情報を取得し、前記所定の時間ごとに、前記所定の消費電圧で前記負荷装置に電力を供給するとともに、前記所定の時間以外では、前記負荷装置に対する電力供給を停止するように制御することを特徴とする請求項１６に記載の電源制御プログラム。
【請求項１８】
前記負荷装置は、無動作状態になった後に所定の消費電流以下になるものであって、
前記制御手順は、前記記憶手段に記憶した制御情報から前記所定の消費電流を示す情報および所定の時間を示す情報を取得し、前記負荷装置に対する出力電流が前記所定の消費電流以下となる状況が前記所定の時間の間継続した場合には、前記負荷装置への電力供給を停止するように制御することを特徴とする請求項１６に記載の電源制御プログラム。
【請求項１９】
前記負荷装置は、所定の満充電圧まで充電された後に所定の消費電流以下になるものであって、
前記制御手順は、前記記憶手段に記憶した制御情報から前記所定の満充電圧を示す情報、所定の消費電流を示す情報、所定の出力電流を示す情報および所定の出力電圧を示す情報を取得し、前記所定の出力電流で前記負荷装置に電力を供給した後に、前記負荷装置の充電電圧が前記所定の満充電圧になった場合には、前記所定の出力電圧で前記負荷装置に電力を供給し、前記負荷装置に対する出力電流が前記所定の消費電流以下になった場合には、前記負荷装置への電力供給を停止するように制御することを特徴とする請求項１６に記載の電源制御プログラム。
【発明の詳細な説明】
【技術分野】
【０００１】
この発明は、電力を消費する負荷装置に出力ケーブルを介して電力を供給する電源装置、当該電源装置の電源制御方法および電源制御プログラムに関する。
【背景技術】
【０００２】
近年、携帯電話、デジタルカメラ、ゲーム機、ＰＤＡなどの複数の電子機器を利用者が持ち歩く場面が多く、各電子機器に対する充電や電力供給を如何にして行うかが重要になっている。つまり、利用者が旅行に出かけるような場合に、利用者が持ち運ぼうとしている各電子機器の充電器や電源装置の仕様が異なると、利用者は複数の充電器や電源装置を運搬せざるを得ず、利用者の運搬労力が過大となってしまう。
【０００３】
このようなことから、一つの電源装置から複数の電子機器に対して適正な電圧を可変に供給する従来技術がある。この例を挙げれば、特許文献１には、携帯電子機器の電源や二次電池の充電用電源として用いられる太陽電池携帯電源装置内に、ＤＣ−ＤＣコンバータを内蔵することで、携帯電子機器に供給する電圧を可変にして多様な電子機器に電力を供給するようにした技術が開示されている。
【０００４】
【特許文献１】特開２００４−１２０９５０号公報
【発明の開示】
【発明が解決しようとする課題】
【０００５】
しかしながら、上記の従来技術では、電子機器に供給する電圧を可変にするには、利用者が携帯電子機器（負荷機器）に必要な電圧を説明書等から読み取り、その電圧をＤＣ−ＤＣコンバータに正しく設定することが必要であり、電力制御を正確かつ簡易に実現することができないという問題点がある。
【０００６】
さらに、上記の従来技術は、出力ケーブルの電圧設定回路が作り出した所定の電圧を電子機器（負荷機器）にそのまま供給するものに過ぎず、例えば、５分ごと２分間ずつ所定の出力電圧で電力を供給することや、最初の５分間と次の５分間とでは異なる出力電流で電力を供給することなど、負荷機器に供給する電力を時系列で調整することはできないという問題点がある。
【０００７】
そこで、この発明は、上述した従来技術の課題（問題点）に鑑みてなされたものであり、負荷機器に供給する電力を正確かつ簡易に時系列で調整することができる電源装置、電源制御方法および電源制御プログラムを提供することを目的とする。
【課題を解決するための手段】
【０００８】
上述した課題を解決し、目的を達成するため、請求項１に係る発明は、電力を供給する電源本体部と、電力を消費する負荷装置および前記電源本体部の間に装着される出力ケーブルとからなる電源装置であって、前記出力ケーブルは、前記負荷装置に供給する電力を時系列で制御するための制御情報を記憶する記憶手段を備え、前記電源本体部は、前記記憶手段に記憶した制御情報に基づいて前記負荷装置に供給する電力を時系列で制御する制御手段を備えたことを特徴とする。
【０００９】
また、請求項２に係る発明は、上記の発明において、前記制御手段は、前記記憶手段に記憶した制御情報から所定の時間を示す情報および所定の出力電圧または出力電流を示す情報を取得し、前記所定の時間になった場合に、前記所定の出力電圧または出力電流で前記負荷装置に電力を供給するように制御することを特徴とする。
【００１０】
また、請求項３に係る発明は、上記の発明において、前記制御手段は、前記記憶手段に記憶した制御情報から所定の出力電流を示す情報および所定の出力電圧を示す情報を取得し、前記負荷装置に対する出力電流が前記所定の出力電流になった場合に、前記所定の出力電圧で前記負荷装置に電力を供給するように制御することを特徴とする。
【００１１】
また、請求項４に係る発明は、上記の発明において、前記制御手段は、前記記憶手段に記憶した制御情報から所定の出力電圧を示す情報および所定の出力電流を示す情報を取得し、前記負荷装置に対する出力電圧が前記所定の出力電圧になった場合に、前記所定の出力電流で前記負荷装置に電力を供給するように制御することを特徴とする。
【００１２】
また、請求項５に係る発明は、上記の発明において、前記制御手段は、前記記憶手段に記憶した制御情報から前記負荷装置における所定の状況を示す情報および前記電源本体部における所定の出力電圧または出力電流を示す情報を取得し、前記負荷装置の状況が前記所定の状況になった場合に、前記所定の出力電圧または出力電流で前記負荷装置に電力を供給するように制御することを特徴とする。
【００１３】
また、請求項６に係る発明は、上記の発明において、前記記憶手段は、前記所定の時間、所定の出力電圧、所定の出力電流、所定の状況を示す情報を前記制御情報として記憶し、前記制御手段は、前記記憶手段から前記所定の時間、所定の出力電圧、所定の出力電流、所定の状況を示す情報を取得することを特徴とする。
【００１４】
また、請求項７に係る発明は、上記の発明において、前記記憶手段は、前記所定の時間、所定の出力電圧、所定の出力電流、所定の状況を示す情報を特定するための識別情報を前記制御情報として記憶し、前記制御手段は、前記識別情報に対応付けて前記所定の時間、所定の出力電圧、所定の出力電流、所定の状況を示す情報を記憶した識別テーブルを備え、前記記憶手段から前記識別情報を読み出した後に、当該識別情報に対応する前記所定の時間、所定の出力電圧、所定の出力電流、所定の状況を示す情報を前記識別テーブルから取得することを特徴とする。
【００１５】
また、請求項８に係る発明は、上記の発明において、前記制御手段は、制御目標としての所定の出力電圧または出力電流に対応付けて前記電源本体部の回路特性を踏まえた定められた回路制御データを記憶する回路テーブルを備え、前記所定の出力電圧または出力電流で前記負荷装置に電力を供給する場合には、当該出力電圧または出力電流に対応する回路制御データを前記回路テーブルから読み出し、当該回路制御データを用いて電力を供給することを特徴とする。
【００１６】
また、請求項９に係る発明は、上記の発明において、前記負荷装置は、所定の時間ごとに所定の消費電圧で動作するものであって、前記制御手段は、前記記憶手段に記憶した制御情報から前記所定の時間を示す情報および所定の消費電圧を示す情報を取得し、前記所定の時間ごとに、前記所定の消費電圧で前記負荷装置に電力を供給するとともに、前記所定の時間以外では、前記負荷装置に対する電力供給を停止するように制御することを特徴とする。
【００１７】
また、請求項１０に係る発明は、上記の発明において、前記負荷装置は、無動作状態になった後に所定の消費電流以下になるものであって、前記制御手段は、前記記憶手段に記憶した制御情報から前記所定の消費電流を示す情報および所定の時間を示す情報を取得し、前記負荷装置に対する出力電流が前記所定の消費電流以下となる状況が前記所定の時間の間継続した場合には、前記負荷装置への電力供給を停止するように制御することを特徴とする。
【００１８】
また、請求項１１に係る発明は、上記の発明において、前記負荷装置は、所定の満充電圧まで充電された後に所定の消費電流以下になるものであって、前記制御手段は、前記記憶手段に記憶した制御情報から前記所定の満充電圧を示す情報、所定の消費電流を示す情報、所定の出力電流を示す情報および所定の出力電圧を示す情報を取得し、前記所定の出力電流で前記負荷装置に電力を供給した後に、前記負荷装置の充電電圧が前記所定の満充電圧になった場合には、前記所定の出力電圧で前記負荷装置に電力を供給し、前記負荷装置に対する出力電流が前記所定の消費電流以下になった場合には、前記負荷装置への電力供給を停止するように制御することを特徴とする。
【００１９】
また、請求項１２に係る発明は、電力を消費する負荷装置に出力ケーブルを介して電力を供給する電源装置の電源制御方法であって、前記出力ケーブルが装着された場合に、当該出力ケーブル内に設けられ、前記負荷装置に供給する電力を時系列で制御するための制御情報を記憶する記憶手段から当該制御情報を取得する取得工程と、前記取得工程によって取得した制御情報に基づいて前記負荷装置に供給する電力を時系列で制御する制御工程と、を含んだことを特徴とする。
【００２０】
また、請求項１３に係る発明は、上記の発明において、前記負荷装置は、所定の時間ごとに所定の消費電圧で動作するものであって、前記制御工程は、前記記憶手段に記憶した制御情報から前記所定の時間を示す情報および所定の消費電圧を示す情報を取得し、前記所定の時間ごとに、前記所定の消費電圧で前記負荷装置に電力を供給するとともに、前記所定の時間以外では、前記負荷装置に対する電力供給を停止するように制御することを特徴とする。
【００２１】
また、請求項１４に係る発明は、上記の発明において、前記負荷装置は、無動作状態になった後に所定の消費電流以下になるものであって、前記制御工程は、前記記憶手段に記憶した制御情報から前記所定の消費電流を示す情報および所定の時間を示す情報を取得し、前記負荷装置に対する出力電流が前記所定の消費電流以下となる状況が前記所定の時間の間継続した場合には、前記負荷装置への電力供給を停止するように制御することを特徴とする。
【００２２】
また、請求項１５に係る発明は、上記の発明において、前記負荷装置は、所定の満充電圧まで充電された後に所定の消費電流以下になるものであって、前記制御工程は、前記記憶手段に記憶した制御情報から前記所定の満充電圧を示す情報、所定の消費電流を示す情報、所定の出力電流を示す情報および所定の出力電圧を示す情報を取得し、前記所定の出力電流で前記負荷装置に電力を供給した後に、前記負荷装置の充電電圧が前記所定の満充電圧になった場合には、前記所定の出力電圧で前記負荷装置に電力を供給し、前記負荷装置に対する出力電流が前記所定の消費電流以下になった場合には、前記負荷装置への電力供給を停止するように制御することを特徴とする。
【００２３】
また、請求項１６に係る発明は、電力を消費する負荷装置に出力ケーブルを介して電力を供給する電源装置としてのコンピュータに実行させる電源制御プログラムであって、前記出力ケーブルが装着された場合に、当該出力ケーブル内に設けられ、前記負荷装置に供給する電力を時系列で制御するための制御情報を記憶する記憶手段から当該制御情報を取得する取得手順と、前記取得手順によって取得した制御情報に基づいて前記負荷装置に供給する電力を時系列で制御する制御手順と、をコンピュータに実行させることを特徴とする。
【００２４】
また、請求項１７に係る発明は、上記の発明において、前記負荷装置は、所定の時間ごとに所定の消費電圧で動作するものであって、前記制御手順は、前記記憶手段に記憶した制御情報から前記所定の時間を示す情報および所定の消費電圧を示す情報を取得し、前記所定の時間ごとに、前記所定の消費電圧で前記負荷装置に電力を供給するとともに、前記所定の時間以外では、前記負荷装置に対する電力供給を停止するように制御することを特徴とする。
【００２５】
また、請求項１８に係る発明は、上記の発明において、前記負荷装置は、無動作状態になった後に所定の消費電流以下になるものであって、前記制御手順は、前記記憶手段に記憶した制御情報から前記所定の消費電流を示す情報および所定の時間を示す情報を取得し、前記負荷装置に対する出力電流が前記所定の消費電流以下となる状況が前記所定の時間の間継続した場合には、前記負荷装置への電力供給を停止するように制御することを特徴とする。
【００２６】
また、請求項１９に係る発明は、上記の発明において、前記負荷装置は、所定の満充電圧まで充電された後に所定の消費電流以下になるものであって、前記制御手順は、前記記憶手段に記憶した制御情報から前記所定の満充電圧を示す情報、所定の消費電流を示す情報、所定の出力電流を示す情報および所定の出力電圧を示す情報を取得し、前記所定の出力電流で前記負荷装置に電力を供給した後に、前記負荷装置の充電電圧が前記所定の満充電圧になった場合には、前記所定の出力電圧で前記負荷装置に電力を供給し、前記負荷装置に対する出力電流が前記所定の消費電流以下になった場合には、前記負荷装置への電力供給を停止するように制御することを特徴とする。
【発明の効果】
【００２７】
請求項１、１２または１６の発明によれば、出力ケーブル内に時系列の制御情報を保持させておき、この制御情報を取得した電源本体部において負荷機器に供給する電力を時系列で制御するので、出力ケーブル内にアナログ回路を設けて電力を調整する手法に比較して、電力供給のバラツキ、端子数の増加、コストの増加、形状の肥大化などを抑えることができ、これによって、負荷機器に供給する電力を正確かつ簡易に時系列で調整することが可能になる。
【００２８】
また、請求項２の発明によれば、時間に応じて供給電圧または供給電流を制御するので、必要な電圧または電流が予め決められた時間に応じて変化するような負荷機器に対して、無駄な電力を供給することなく、効率的に電力を供給することが可能になる。
【００２９】
また、請求項３の発明によれば、出力電流（負荷機器の消費電流）に応じて供給電圧を制御するので、必要な電圧が消費電流に応じて変化するような負荷機器に対して、無駄な電力を供給することなく、効率的に電力を供給することが可能になる。
【００３０】
また、請求項４の発明によれば、出力電圧（負荷機器の消費電圧）に応じて供給電流を制御するので、必要な電流が消費電圧に応じて変化するような負荷機器に対して、無駄な電力を供給することなく、効率的に電力を供給することが可能になる。
【００３１】
また、請求項５の発明によれば、負荷装置の状況に応じて供給電圧または供給電流を制御するので、必要な電圧または電流が自らの状況に応じて変化するような負荷機器に対して、無駄な電力を供給することなく、効率的に電力を供給することが可能になる。
【００３２】
また、請求項６の発明によれば、出力ケーブルで実質的な制御情報を保持するので、出力ケーブルで保持された情報を参照するだけで負荷機器に対する制御内容を把握することが可能になり、また、新規な出力ケーブルを新たに使用する場合でも、電源本体部に対して何らの設定も行う必要はなく、簡易な導入を実現することが可能になる。
【００３３】
また、請求項７の発明によれば、電源本体部で実質的な制御情報を保持するので、出力ケーブルで保持すべき情報を少なくすることが可能になり、また、対応する識別情報がない不正な出力ケーブルの使用を排除することも可能になる。
【００３４】
また、請求項８の発明によれば、電源本体部の回路特性を踏まえた定められた回路制御データを用いて電力を供給するので、回路特性のばらつきを吸収して、負荷機器に供給する電力の精度を高めることが可能になる。
【００３５】
また、請求項９、１３または１７の発明によれば、例えば、河川等の水質ＰＨ（ペーハー）を測定するＰＨセンサなど、所定時間ごとに動作させたい負荷機器に対して、当該所定時間に限って電力を供給するので、無駄な電力消費を防止することが可能になる。
【００３６】
また、請求項１０、１４または１８の発明によれば、例えば、何らの処理も行われない無動作状態になると消費電流が低下するパーソナルコンピュータなどに対して、無動作状態が所定時間継続した場合に電力供給を停止するので、無駄な電力消費を防止することが可能になる。
【００３７】
また、請求項１１、１５または１９の発明によれば、例えば、リチウム充電池などに対して、満充電の電圧になるまで定電流で電力を供給した後に、カットオフ電流の電流になるまで定電圧で電力を供給するので、急速かつ効率的な充電を実現することが可能になる。
【発明を実施するための最良の形態】
【００３８】
以下に添付図面を参照して、この発明に係る電源装置、電源制御方法および電源制御プログラムの実施例を詳細に説明する。なお、以下では、太陽電池を用いて発電した電力を各種の負荷機器に供給するソーラー型電源装置に本発明を適用した場合を実施例とし、この電源装置の概要および特徴を説明した後、種々の実施例（実施例１〜４）を説明する。
【００３９】
［電源装置の概要および特徴］
図１は、本発明に係る電源装置の概略構成を示すブロック図である。同図に示すように、本発明に係る電源装置は、発電部１０および本体部２０からなり、当該本体部２０に着脱自在に装着される出力ケーブル３０を介して負荷装置４０に接続されて構成される。
【００４０】
このうち、負荷機器４０は、携帯電話、デジタルカメラ、ゲーム機、ＰＤＡなどの電力消費を伴う電子機器である。また、出力ケーブル３０は、負荷機器４０と本体部２０とを接続するために用いられる電力供給用ケーブルである。
【００４１】
その一方、発電部１０は、太陽光を受光して発電する太陽電池である。なお、この発電部１０は、太陽電池以外の燃料電池やその他の発電体であっても構わない。また、本体部２０は、発電部１０から受け取った電力を一時的に蓄電し、出力ケーブル３０を介して負荷機器４０が本体部２０に接続されると、負荷機器４０に電力を供給する処理部である。
【００４２】
そして、このような概要を有する図１の電源装置は、負荷機器４０に対する電力供給の手法に主たる特徴があり、具体的には、以下に簡単に説明するように、負荷機器４０に供給する電力を正確かつ簡易に時系列で調整することができるようにしている。
【００４３】
図１に例示するように、出力ケーブル３０は、本体部２０側のコネクタ部にＲＯＭ３１を有し、このＲＯＭ３１と本体部２０側の接続端との間には、バスおよびＲＯＭ３１への電力供給ラインが設けられている。これによって、出力ケーブル３０が本体部２０に装着されると、本体部２０のソフトウエア制御コンバータ２３がＲＯＭ３１内のデータを読み出すことができる。なお、ＲＯＭ３１はコネクタ部以外の別の部位に設けても構わない。
【００４４】
そして、このＲＯＭ３１には、負荷装置４０に供給する電力を時系列で制御するための制御情報が、例えば「出力電圧：４．７８９Ｖ、出力時間：１０ｍｉｎ毎、停止時間：２ｍｉｎ後」のようなデータとして記憶される（図４参照）。なお、かかる出力ケーブル３０は、原則としては負荷機器４０と一対のものとして取り扱われるが、複数の負荷機器４０で同じ電力制御をおこなう場合には、これらの負荷機器４０について一本の出力ケーブル３０を対応させても構わない。なお、ＲＯＭ３１は、特許請求の範囲に記載の「記憶手段」に対応する。
【００４５】
その一方、本体部２０は、図１に例示するように、蓄電部２１と、電力変換部２２と、ソフトウエア制御コンバータ２３とを備える。このうち、蓄電部２１は、発電部１０から受け取った電力を一時的に蓄電する蓄電素子である。また、電力変換部２２は、目標値に向けて出力電力を電力変換するスイッチングレギュレータやシリーズレギュレータからなる処理部である。
【００４６】
そして、ソフトウエア制御コンバータ２３は、出力ケーブル３０のＲＯＭ３１に記憶された制御情報に基づいて電力変換部２２による電力変換をソフトウエア制御する処理部である。すなわち、本体部２０に出力ケーブル３０が装着されると、本体部２０は、ＲＯＭ３１に記憶された時系列の制御情報を読み出し、図１に例示するように、出力電圧を間欠的に停止させたり、出力電流を徐々に減少させたりなど、ＲＯＭ３１から読み出した制御情報に基づいて負荷装置４０に供給する電力を時系列で制御する。なお、ソフトウエア制御コンバータ２３は、特許請求の範囲に記載の「制御手段」に対応する。
【００４７】
このように、本発明に係る電源装置では、出力ケーブル３０のＲＯＭ３１内に時系列の制御情報を保持させておき、この制御情報を取得した本体部２０において負荷機器４０に供給する電力を時系列で制御する。したがって、出力ケーブル３０内にアナログ回路を設けて電力を調整する手法に比較して、電力供給のバラツキ、端子数の増加、コストの増加、形状の肥大化などを抑えることができ、これによって、上記した主たる特徴の如く、負荷機器４０に供給する電力を正確かつ簡易に時系列で調整することが可能になる。
【実施例１】
【００４８】
次に、図２などを用いて、負荷装置４０としてのＰＨセンサ（ペーハーセンサ）付き通信装置に電力を供給する場合を実施例１として説明する。図２は、実施例１に係る電源装置の構成を示すブロック図である。なお、以下では、かかるＰＨセンサ付き通信装置の概要、実施例１におけるＲＯＭ３１および本体部２０の構成、実施例１による電力供給処理の流れ、実施例１による効果を順に説明する。
【００４９】
［ＰＨセンサ付き通信装置（実施例１）］
実施例１における負荷装置４０としてのＰＨセンサ付き通信装置は、図２に例示するように、河川等に設置され、ＰＨセンサで水質ＰＨを測定し、測定結果をアンテナから観測センタに送信する装置である。そして、この装置は、測定および送信処理を常時実行するのではなく、所定時間ごと測定および送信を実行させるべく設置されたものである。つまり、後述する本体部２０から電力の供給を受けている間に限り、測定および送信処理を実行する。
【００５０】
［ＲＯＭ（実施例１）］
実施例１におけるＲＯＭ３１は、上記したようなＰＨセンサ付き通信装置（負荷装置４０）に供給する電力を時系列で制御するための制御情報を記憶する。具体的には、このＰＨセンサ付き通信装置が、「４．７８９Ｖ」で動作（測定および送信処理）するものであって、１０分ごと２分間ずつ動作させたいような場合には、図３に例示するように、「４．７８９Ｖ」の出力電圧を１０分ごと２分間ずつ、本体部２０から負荷装置４０（ＰＨセンサ付き通信装置）に供給する必要がある。なお、図３は、実施例１における出力電圧の出力例を示す図である。
【００５１】
そこで、実施例１のＲＯＭ３１には、図４に例示するように、「出力電圧：４．７８９Ｖ、出力時間：１０ｍｉｎ毎、停止時間：２ｍｉｎ後」のような出力制御データがテキストデータとして記憶される。これによって、本体部２０においてＲＯＭ３１から「出力電圧」だけでなく、「出力時間」や「停止時間」のような時系列情報も読み出すことで、図３に例示するような時系列の出力電圧を負荷装置４０に供給することが可能になる。なお、図４は、実施例１のＲＯＭ３１に記憶される情報の構成例を示す図である。
【００５２】
また、ＲＯＭ３１には、図４に例示するように、ベンダＩＤ、バージョンおよびユーザＩＤなどからなるシリアル番号もそれぞれテキストデータとして記憶されている。このようなデータも記憶する理由は、正当な製造者以外が製造した模造品への電力供給を停止すること、バージョンが異なる場合の電力供給要領の誤りを防ぐこと、また、正当なユーザ以外の電力の不正利用を防止することを可能にするためである。具体的には、後述する本体部２０の記憶部２３ｂに適正なベンダＩＤ、バージョンおよびユーザＩＤを予め記憶させておき、本体部２０は、電力の供給に際してＲＯＭ３１内のデータと照合することで、これらが適正である場合に限り負荷装置４０に電力を供給する。
【００５３】
［本体部（実施例１）］
実施例１における本体部２０は、図２に例示するように、スイッチングレギュレータ２２ａと、比較器２２ｂと、分割抵抗２２ｃと、ソフトウエア制御コンバータ２３と、供給電流検出用電流センサ２４と、電力供給スイッチ２５と、ＲＯＭ向け電力供給部２６とを有する。なお、かかる本体部２０は、既に説明した蓄電部２１を有するが、本発明の特徴部分ではないので、ここでは蓄電部２１の説明を省略する。
【００５４】
このうち、スイッチングレギュレータ２２ａは、図示しない蓄電部２１から供給された電力を比較器２２ｂの出力に応じて電力変換する処理部である。なお、ここではスイッチングレギュレータ２２ａを用いることとしたが、シリーズレギュレータなどを代わりに用いることもできる。また、比較器２２ｂは、分割抵抗２２ｃからの出力値とソフトウエア制御コンバータ２３のＤＡＣ２３ｅからの出力値とを比較して差分をスイッチングレギュレータ２２ａに出力する処理部である。
【００５５】
供給電流検出用電流センサ２４は、スイッチングレギュレータ２２ａから出力された電力の電流量を検出するセンサであり、検出結果をソフトウエア制御コンバータ２３のＡＤＣ２３ｆに出力する。なお、ＡＤＣ２３ｆには、スイッチングレギュレータ２２ａから出力された電力の出力電圧も読み込まれる。
【００５６】
電力供給スイッチ２５は、本体部２０から出力ケーブル３０への電源供給のオン／オフを切り替えるスイッチであり、ソフトウエア制御コンバータ２３により制御される。また、ＲＯＭ向け電力供給部２６は、出力ケーブル３０が本体部２０に接続された際に、ＲＯＭ３１への電力供給をおこなう給電部である。
【００５７】
ソフトウエア制御コンバータ２３は、出力ケーブル３０内のＲＯＭ３１に記憶された制御情報に基づいて適正な制御目標値（アナログ値）を比較器２２ｂのプラス端子に出力する処理部であり、かかる一連の処理をソフトウエア的におこなう。このソフトウエア制御コンバータ２３は、いわゆるマイコンとして形成することができ、図２に例示するように、ＣＰＵ２３ａ、回路テーブル２３ｃを記憶する記憶部２３ｂ、ＲＯＭインターフェース２３ｄ、デジタル／アナログコンバータ（ＤＡＣ）２３ｅ、アナログ／デジタルコンバータ（ＡＤＣ）２３ｆおよびタイマ２３ｇがバスに接続された構成となる。
【００５８】
ここで、記憶部２３ｂは、ソフトウエア制御コンバータ２３による各種処理に必要なデータ（例えば、適正なベンダＩＤ、バージョンおよびユーザＩＤなど）およびプログラムを格納する格納手段（記憶手段）であり、特に本発明に密接に関連するものとして、図５に例示するような回路テーブル２３ｃを有する。なお、図５は、実施例１の回路テーブル２３ｃに記憶される情報の構成例を示す図である。
【００５９】
かかる回路テーブル２３ｃは、制御目標としての所定の出力電圧または出力電流に対応付けて、本体部２０の回路特性を踏まえた予め定められた回路制御データを記憶するものである。具体的には、回路テーブル２３ｃは、図５に例示するように、出力電圧または出力電流のアスキーコード（ＲＯＭ３１に記憶される「出力電圧」のテキストデータに対応する。）と、ＤＡＣ２３ｅに出力する回路制御データとを対応づけて記憶する。ここで、回路制御データは、本体部２０の回路特性を踏まえて予め定められるものであるので、同じ出力電圧または出力電流のアスキーコードであったとしても、本体部２０が異なる別の電源装置であれば、回路テーブル２３ｃの回路制御データは必ずしも同一ではない。
【００６０】
このようなテーブル２３ｃを設けた理由は、回路特性のばらつきを吸収して、負荷機器に供給する電力の精度を高めることを可能にするためである。言い換えると、このテーブル２３ｃを設けない場合には、回路特性のばらつきを防ぐことができないという問題、または、回路特性のばらつきを含めた回路制御データをＲＯＭ３１に書き込まねばならず現実的ではないという問題が生ずるからである。これによって、ソフトウエア制御コンバータ２３は、単にＲＯＭ３１から読み取った出力制御データをＤＡＣ２３ｅに出力するのではなく、出力制御データ（出力電圧や出力電流のテキストデータ）に対応する回路制御データをテーブル２３ｃから求めてＤＡＣ２３ｅに出力する。
【００６１】
これについて視点を変えれば、上記したＲＯＭ３１内に出力制御データをテキストデータとして格納する理由も、回路特性のばらつきを本体部２０のソフトウエア制御コンバータ２３（テーブル２３ｃ）側で解消することを可能にするためである。そして、これによって、ソフトウエア制御コンバータ２３内に設けられるＤＡＣ２３ｅの精度に柔軟に対応できるという利点も生ずる。具体的に説明すると、８ビットのＤＡＣ２３ｅが搭載された場合には、出力電圧分解能が０．１Ｖの電源であれば４．７８Ｖまで読み込んで四捨五入した４．８Ｖに対応する回路制御データをテーブル２３ｃから取り込めばよい。また、１２ビットのＤＡＣ２３ｅが搭載された場合には、高精度な電源であれば４．７８９Ｖまで読み込んでこれに対応する回路制御データをテーブル２３ｃから取り込めばよい。さらに、ＲＯＭ３１内の出力電圧よりも分解能の高い電源が接続された場合には、４．７８９Ｖから４．７８９００Ｖにデータを補間することで対処することができる。なお、図５では、回路制御データを８ビットのビット列とする場合を示しているが、他のビット長のものを用いることもできる。
【００６２】
また、図５に例示する回路テーブル２３ｃでは、出力電圧の変換テーブル、並びに、出力電流の変換テーブルを有するようにしている。このように両者のテーブルを用意する理由は、負荷機器４０（ＲＯＭ３１に記憶された制御データ）の違いに応じて、出力電流および出力電流のいずれも制御し得るようにするためである。ただし、図４に例示した出力制御データを用いるような場合には、出力電圧用のテーブルを有すれば足りる。
【００６３】
さらに、図５に例示する回路テーブル２３ｃでは、複数のアスキーコードおよび回路制御データの組合せを記憶するようにしている。このように複数の組合せを記憶する理由は、複数の制御目標（ＲＯＭ３１内の「出力電圧」および「出力電流」のテキストデータは、それぞれの出力ケーブル３０ごとに異なり得るものであり、また、一つの出力ケーブル３０でも複数のテキストデータが記憶されることもあり得る。）に対応して回路制御データを適宜選択し得るようにするためであるが、それだけではなく、出力電圧や出力電流を後述するようにフィードバック制御することを可能にするためでもある。
【００６４】
ソフトウエア制御コンバータ２３の説明に戻ると、このソフトウエア制御コンバータ２３（特に、ＣＰＵ２３ａ）によって実行される処理には、ＲＯＭインターフェース２３ｄを介してＲＯＭ３１内に記憶された出力制御データおよびシリアル番号を読み取る処理や、読み取ったシリアル番号が適正なものであるか否かを判定する処理などの他に、特に本発明に密接に関連するものとして、読み取った出力制御データに基づいて負荷装置４０に供給する電力を時系列で制御する処理がある。これらの処理の詳細については後述する。
【００６５】
ＤＡＣ２３ｅは、比較器２２ｂのプラス端子に制御目標値を設定するものであり、具体的には、ＣＰＵ２３ａが回路テーブル２３ｃから取得した回路制御データを受け取り、これを制御目標値として設定する。また、ＡＤＣ２３ｆは、本体部２０の出力電流（供給電流検出用電流センサ２４によって得られた検出電流）や出力電圧をデジタル化して取得する処理部である。これによって取得された出力電流や出力電圧は、ＣＰＵ２３ａによる制御目標値とのフィードバック制御や、供給電力の時系列制御（具体的には、実施例２や実施例３参照）に利用される。そして、タイマ２３ｇは、供給電力の時系列制御を実現するために計時を行うクロック手段である。
【００６６】
［電力供給処理（実施例１）］
次に、上記した電源装置による電力供給処理の流れを説明する。図６および図７は、実施例１による電力供給処理の流れを示すフローチャートである。
【００６７】
図２に示した本体部２０（特に、ソフトウエア制御コンバータ２３）では、まず出力ケーブル３０が本体部２０に接続されたか否かを監視し（ステップＳ１０１）、出力ケーブル３０が接続された場合には（ステップＳ１０１肯定）、ＲＯＭ向け電力供給部２６から出力ケーブル３０内のＲＯＭ３１へ電力供給を行う（ステップＳ１０２）。
【００６８】
続けて、本体部２０は、出力ケーブル３０のＲＯＭ３１からシリアル番号（ベンダＩＤ、バージョンおよびユーザＩＤ）を読み取り（ステップＳ１０３）、これが記憶部２３ｂに予め記憶しているベンダＩＤ、バージョンおよびユーザＩＤに対して適正であるか否かを判定する（ステップＳ１０４）。
【００６９】
この判定において、ベンダＩＤ、バージョンまたはユーザＩＤのいずれかが適正でない場合には（ステップＳ１０４否定）、本体部２０は、エラー表示をおこなって電源本体を停止するエラー処理をおこなう（ステップＳ１０６）。これとは反対に、ベンダＩＤ、バージョンおよびユーザＩＤの全てが適正であった場合には（ステップＳ１０４肯定）、本体部２０は、ＲＯＭ３１から出力制御データ（出力電圧、出力時間、停止時間）を読み取る（ステップＳ１０５）。
【００７０】
続けて、ソフトウエア制御コンバータ２３は、タイマ２３ｇのカウントを開始させ（ステップＳ２０１）、このタイマ２３ｇのカウント時間が出力制御データの「出力時間（１０ｍｉｎ）」に達した場合には（ステップＳ２０２肯定）、出力制御データの「出力電圧（４．７８９Ｖ）」に対応する回路制御データ（実制御コード）を回路テーブル２３ｃから取得する（ステップＳ２０３）。
【００７１】
そして、ソフトウエア制御コンバータ２３は、取得した回路制御データ（実施例１では、出力電圧「４．７８９Ｖ」に対応した回路制御データ）をＤＡＣ２３ｅに出力し、比較器２２ｂのプラス端子に制御目標値を設定することで、スイッチングレギュレータ２２ａから制御目標値に対応した出力電圧を発生させる（ステップＳ２０４）。さらに、ソフトウエア制御コンバータ２３は、ＡＤＣ２３ｆによって確認される出力電圧が制御目標値（ＲＯＭ３１内の出力制御データでも回路テーブル２３ｃ内の回路制御データでも構わない。）の出力電圧と所定の誤差内にあるか否かをチェックする（ステップＳ２０５）。
【００７２】
このチェックにおいて、ＡＤＣ２３ｆによって確認される出力電圧が所定の誤差内でない場合には（ステップＳ２０５否定）、ソフトウエア制御コンバータ２３は、回路テーブル２３ｃを参照して出力値の補正処理を行った後（ステップＳ２０６）、電力供給スイッチ２５をオンにして出力電圧を出力ケーブル３０に出力し、負荷装置４０への電力供給を開始する（ステップＳ２０７）。その一方、出力値が所定の誤差内であれば（ステップＳ２０６肯定）、ソフトウエア制御コンバータ２３は、電力供給スイッチ２５をオンにして、補正なしの出力電圧を出力ケーブル３０に出力し、負荷装置４０への電力供給を開始する（ステップＳ２０７）。
【００７３】
このようにして負荷装置４０への電力供給を開始した後（ステップＳ２０７）、ソフトウエア制御コンバータ２３は、タイマ２３ｇのカウントをリセットした後に改めて開始させる（ステップＳ２０８）。そして、このタイマ２３ｇのカウント時間が出力制御データの「停止時間（２ｍｉｎ）」に達した場合には（ステップＳ２０８肯定）、ソフトウエア制御コンバータ２３は、電力供給スイッチ２５をオフにして、負荷装置４０への電力供給を停止させる（ステップＳ２１０）。
【００７４】
その後、ソフトウエア制御コンバータ２３は、上記したステップＳ２０１の処理に戻り、上述した処理（ステップＳ２０１〜Ｓ２１０）を繰り返し実行する。すなわち、タイマ２３ｇのカウントをリセットした後に改めて開始させ（ステップＳ２０１）、このタイマ２３ｇのカウント時間が出力制御データの「出力時間（１０ｍｉｎ）」に達したかをチェックすることで（ステップＳ２０２）、１０分後に再び電力供給を開始する。これによって、図３に例示したように、「４．７８９Ｖ」の出力電圧を１０分ごと２分間ずつ、本体部２０から負荷装置４０（ＰＨセンサ付き通信装置）に供給することが可能になる。
【００７５】
なお、負荷装置４０への電力供給を停止させた後においては、本体部２０は待機状態になることで、上記のカウントおよびチェック（ステップＳ２０１およびＳ２０２）の機能のみを実行し、１０分後に再起動するようにしてもよい。また、実施例１のように、２回目以降の電力供給における出力電圧が１回目と同じである場合には、２回目以降の電力供給に際して、回路テーブル２３ｃから回路制御データ取得する処理（ステップＳ２０３）や、出力電圧の誤差をチェックする処理（ステップＳ２０６）などを省略し、１回目と同じ出力電圧をそのまま出力ケーブル３０に出力するようにしてもよい。
【００７６】
［実施例１による効果］
上述してきたように、実施例１によれば、ＰＨセンサ付き通信装置のような、所定時間ごとに動作させたい負荷機器４０に対して、当該所定時間に限って電力を供給するので、無駄な電力消費を防止することが可能になる。
【００７７】
また、実施例１によれば、本体部２０の回路特性を踏まえた定められた回路制御データを用いて電力を供給するので（図５参照）、回路特性のばらつきを吸収して、負荷機器４０に供給する電力の精度を高めることが可能になる。
【００７８】
なお、実施例１によれば、出力ケーブル３０で実質的な制御情報を保持するので（図４参照）、出力ケーブル３０で保持された情報を参照するだけで負荷機器４０に対する制御内容を把握することが可能であり、また、新規な出力ケーブル３０を新たに使用する場合でも、本体部２０に対して何らの設定も行う必要はなく（例えば、対応するアスキーコードが回路テーブル２３ｃに既に記憶されている限り、回路テーブル２３ｃの更新は不要）、簡易な導入を実現することが可能になる。
【実施例２】
【００７９】
次に、図８などを用いて、負荷装置４０としてのユーザ端末に電力を供給する場合を実施例２として説明する。図８は、実施例２に係る電源装置の使用例を示す図である。なお、電源装置の構成は、図２を用いて実施例１で説明した構成と同様であるので、以下では、ユーザ端末の概要、実施例２におけるＲＯＭ３１の構成、実施例２による電力供給処理の流れ、実施例２による効果を順に説明する。
【００８０】
［ユーザ端末（実施例２）］
実施例２における負荷装置４０としてのユーザ端末は、図８に例示するように、何らの処理も行われない無動作状態になると消費電流が低下する既知のパーソナルコンピュータ、携帯電話、ＰＨＳ端末、移動体通信端末またはＰＤＡ端末などである。つまり、このようなユーザ端末に一定の出力電圧で電力を供給したような場合には、図９に例示するように、無動作状態になると出力電流（消費電流）が徐々に低下していく。なお、図９は、実施例２における出力電圧および出力電流の出力例を示す図である。
【００８１】
［ＲＯＭ（実施例２）］
実施例２におけるＲＯＭ３１は、上記したようなユーザ端末（負荷装置４０）に供給する電力を時系列で制御するための制御情報を記憶する。具体的には、このユーザ端末が、「４．７８９Ｖ」で動作するものであるが、消費電流（本体部２０の出力電流）が待機電流「３ｍＡ」以下となる状況が待機時間「１５ｓｅｃ」の間継続することを条件に、電源オフさせたいような場合には、図９に例示するように、「４．７８９Ｖ」の出力電圧を供給した後、この条件を満たす状況で、電力供給を停止する必要がある。
【００８２】
そこで、実施例２のＲＯＭ３１には、図１０に例示するように、「出力電圧：４．７８９Ｖ、待機電流：３ｍＡ、待機時間：１５ｓｅｃ」のような出力制御データがテキストデータとして記憶される。これによって、本体部２０においてＲＯＭ３１から「出力電圧」だけでなく、「待機電流」や「待機時間」のような時系列情報も読み出すことで、図９に例示するような時系列の出力電圧を負荷装置４０に供給することが可能になる。なお、図１０は、実施例２のＲＯＭ３１に記憶される情報の構成例を示す図である。
【００８３】
［電力供給処理（実施例２）］
続いて、実施例２に係る電源装置による電力供給処理の流れを説明する。図１１は、実施例２による電力供給処理の流れを示すフローチャートである。なお、出力ケーブル３０が接続されてから、ＲＯＭ３１内の出力制御データを読み取るまでの処理は、図６を用いて説明した処理（同図のステップＳ１０１〜Ｓ１０５）と同様であるので、以下では、出力制御データを読み取った後の処理を説明する。
【００８４】
実施例２の本体部２０におけるソフトウエア制御コンバータ２３は、ＲＯＭ３１から出力制御データを読み取った後（図６のステップＳ１０５）、図１１に示すように、出力制御データの「出力電圧（４．７８９Ｖ）」に対応する回路制御データ（実制御コード）を回路テーブル２３ｃから取得する（ステップＳ３０１）。
【００８５】
そして、ソフトウエア制御コンバータ２３は、取得した回路制御データ（実施例２では、出力電圧「４．７８９Ｖ」に対応した回路制御データ）をＤＡＣ２３ｅに出力し、比較器２２ｂのプラス端子に制御目標値を設定することで、スイッチングレギュレータ２２ａから制御目標値に対応した出力電圧を発生させる（ステップＳ３０２）。さらに、ソフトウエア制御コンバータ２３は、ＡＤＣ２３ｆによって確認される出力電圧が制御目標値（ＲＯＭ３１内の出力制御データでも回路テーブル２３ｃ内の回路制御データでも構わない。）の出力電圧と所定の誤差内にあるか否かをチェックする（ステップＳ３０３）。
【００８６】
このチェックにおいて、ＡＤＣ２３ｆによって確認される出力電圧が所定の誤差内でない場合には（ステップＳ３０３否定）、ソフトウエア制御コンバータ２３は、回路テーブル２３ｃを参照して出力値の補正処理を行った後（ステップＳ３０４）、電力供給スイッチ２５をオンにして出力電圧を出力ケーブル３０に出力し、負荷装置４０への電力供給を開始する（ステップＳ３０５）。その一方、出力値が所定の誤差内であれば（ステップＳ３０３肯定）、ソフトウエア制御コンバータ２３は、電力供給スイッチ２５をオンにして、補正なしの出力電圧を出力ケーブル３０に出力し、負荷装置４０への電力供給を開始する（ステップＳ３０５）。
【００８７】
このようにして負荷装置４０への電力供給を開始した後（ステップＳ３０５）、ソフトウエア制御コンバータ２３は、ＡＤＣ２３ｆによって確認される出力電流（すなわち、負荷装置４０の消費電流）が出力制御データの「待機電流（３ｍＡ）」以下となったかどうかをチェックする（ステップＳ３０６）。そして、出力電流が「待機電流（３ｍＡ）」以下になった場合には（ステップＳ３０６肯定）、ソフトウエア制御コンバータ２３は、タイマ２３ｇのカウントを開始させる（ステップＳ３０７）。
【００８８】
さらに、ソフトウエア制御コンバータ２３は、出力電流が「待機電流（３ｍＡ）」以下になっている状況が、出力制御データの「待機時間（１５ｓｅｃ）」の間継続したかどうかを、ＡＤＣ２３ｆによって確認される出力電流およびタイマ２３ｇのカウント時間を参照してチェックする（ステップＳ３０６）。
【００８９】
ここで、待機電流以下の状況が待機時間の間継続しなかった場合には（ステップＳ３０８否定）、ソフトウエア制御コンバータ２３は、タイマ２３ｇのカウントをリセットするとともに、上記のステップＳ３０６に戻り、出力電流が待機電流以下となったかどうかをチェックする処理から、上記と同様の処理を繰り返す（ステップＳ３０６〜Ｓ３０８）。
【００９０】
これとは反対に、待機電流以下の状況が待機時間の間継続した場合には（ステップＳ３０８肯定）、ソフトウエア制御コンバータ２３は、電力供給スイッチ２５をオフにして、負荷装置４０への電力供給を停止させる（ステップＳ３０９）。これによって、図９に例示したように、負荷装置４０としてのユーザ端末に対して、「４．７８９Ｖ」の出力電圧を供給した後、消費電流が待機電流以下となる状況が待機時間の間継続するという条件を満足した場合に、電力供給を停止することが可能になる。
【００９１】
［実施例２による効果］
上述してきたように、実施例２によれば、何らの処理も行われない無動作状態になると消費電流が低下するパーソナルコンピュータなどのユーザ端末に対して、無動作状態が所定時間継続した場合に電力供給を停止するので、無駄な電力消費を防止することが可能になる。
【実施例３】
【００９２】
次に、図１２などを用いて、負荷装置４０としてのリチウム充電池に電力を供給する場合を実施例３として説明する。図１２は、実施例３に係る電源装置の使用例を示す図である。なお、電源装置の構成は、図２を用いて実施例１で説明した構成と基本的には同様であるので、以下では、リチウム充電池の概要、実施例３におけるＲＯＭ３１の構成、実施例３による電力供給処理の流れ、実施例３による効果を順に説明する。
【００９３】
［リチウム充電池（実施例３）］
実施例３における負荷装置４０としてのリチウム充電池は、外部から与えられた電圧と電流によって、発電とは逆の化学変化（正極と負極の間におけるリチウムイオンの移動）を内部に生じさせることで電力を蓄える充電池である。
【００９４】
かかるリチウム充電池を如何にして急速充電するかを検討すると、図１３に例示するように、定電流モードとして、リチウム充電池の充電電圧が満充電になるまで定電流で電力を供給した後、定電圧モードとして、リチウム充電池の消費電流（電源装置の出力電流）が所定のカットオフ電流に低下するまで定電圧で電力を供給してから電力供給を一旦停止し、所定の待機時間をおいて上記の定電流モードおよび定電圧モードの電力供給を複数回繰り返すことが望ましい。なお、図１３は、実施例３における出力電圧および出力電流の出力例、並びに、負荷装置４０の充電状況を示す図である。
【００９５】
［ＲＯＭ（実施例３）］
実施例３におけるＲＯＭ３１は、上記したようなリチウム充電池（負荷装置４０）に供給する電力を時系列で制御するための制御情報を記憶する。具体的には、このリチウム充電池について上記したような急速充電を実現するために、図１４に例示するように、「出力電圧（定電圧モード）：５Ｖ、出力電流（定電流モード）：６００ｍＡ、ＣｕｔＯｆｆ電流：８０ｍＡ、満充電圧：４．２Ｖ、待機時間：５ｍｉｎ」のような出力制御データがテキストデータとして記憶される。これによって、本体部２０においてＲＯＭ３１から「出力電圧」や「出力電流」だけでなく、「カットオフ電流」や「満充電圧」、「待機時間」のような時系列情報も読み出すことで、図１３に例示するような時系列の出力電圧および出力電流を負荷装置４０に供給することが可能になる。なお、図１４は、実施例２のＲＯＭ３１に記憶される情報の構成例を示す図である。
【００９６】
ところで、本体部２０では、上記したＲＯＭ３１から読み取った出力制御データの「満充電圧」と、リチウム充電池の充電電圧（現にどの電圧まで充電されているか）とを比較する処理が必要である。このため、実施例３に係る電源装置では、出力ケーブル３０を介して負荷装置４０の状況（リチウム充電池が現にどの電圧まで充電されているかを示す電圧値）を取得するようになっている。
【００９７】
［電力供給処理（実施例３）］
続いて、実施例３に係る電源装置による電力供給処理の流れを説明する。図１５は、実施例３による電力供給処理の流れを示すフローチャートである。なお、出力ケーブル３０が接続されてから、ＲＯＭ３１内の出力制御データを読み取るまでの処理は、図６を用いて説明した処理（同図のステップＳ１０１〜Ｓ１０５）と同様であるので、以下では、出力制御データを読み取った後の処理を説明する。
【００９８】
実施例３の本体部２０におけるソフトウエア制御コンバータ２３は、ＲＯＭ３１から出力制御データを読み取った後（図６のステップＳ１０５）、図１５に示すように、出力制御データの「出力電流（６００ｍＡ）」に対応する回路制御データ（実制御コード）を回路テーブル２３ｃから取得する（ステップＳ４０１）。つまり、定電流モードの電力供給を行うための準備である。
【００９９】
そして、ソフトウエア制御コンバータ２３は、取得した回路制御データ（実施例３では、出力電流「６００ｍＡ」に対応した回路制御データ）をＤＡＣ２３ｅに出力し、比較器２２ｂのプラス端子に制御目標値を設定することで、スイッチングレギュレータ２２ａから制御目標値に対応した出力電流を発生させる（ステップＳ４０２）。さらに、ソフトウエア制御コンバータ２３は、ＡＤＣ２３ｆによって確認される出力電流が制御目標値（ＲＯＭ３１内の出力制御データでも回路テーブル２３ｃ内の回路制御データでも構わない。）の出力電流と所定の誤差内にあるか否かをチェックする（ステップＳ４０３）。
【０１００】
このチェックにおいて、ＡＤＣ２３ｆによって確認される出力電流が所定の誤差内でない場合には（ステップＳ４０３否定）、ソフトウエア制御コンバータ２３は、回路テーブル２３ｃを参照して出力値の補正処理を行った後（ステップＳ４０４）、電力供給スイッチ２５をオンにして出力電流を出力ケーブル３０に出力し、負荷装置４０への電力供給を開始する（ステップＳ４０５）。その一方、出力値が所定の誤差内であれば（ステップＳ４０３肯定）、ソフトウエア制御コンバータ２３は、電力供給スイッチ２５をオンにして、補正なしの出力電流を出力ケーブル３０に出力し、負荷装置４０への電力供給を開始する（ステップＳ４０５）。
【０１０１】
このようにして負荷装置４０へ定電流モードの電力供給を開始した後（ステップＳ４０５）、ソフトウエア制御コンバータ２３は、出力ケーブル３０を介してリチウム充電池（負荷装置４０）から取得した現在の電圧値が出力制御データの「満充電圧（４．２Ｖ）」に達したか否かを判定する（ステップＳ４０６）。
【０１０２】
そして、リチウム充電池（負荷装置４０）の現電圧値が満充電圧（４．２Ｖ）に達した場合には（ステップＳ４０６肯定）、出力制御データの「出力電圧（５Ｖ）」に対応する回路制御データ（実制御コード）を回路テーブル２３ｃから取得する（ステップＳ４０７）。つまり、定電圧モードの電力供給を行うための準備である。
【０１０３】
続いて、ソフトウエア制御コンバータ２３は、取得した回路制御データ（実施例３では、出力電圧「５Ｖ」に対応した回路制御データ）をＤＡＣ２３ｅに出力し、比較器２２ｂのプラス端子に制御目標値を設定することで、スイッチングレギュレータ２２ａから制御目標値に対応した出力電圧を発生させる（ステップＳ４０８）。さらに、ソフトウエア制御コンバータ２３は、ＡＤＣ２３ｆによって確認される出力電圧が制御目標値（ＲＯＭ３１内の出力制御データでも回路テーブル２３ｃ内の回路制御データでも構わない。）の出力電圧と所定の誤差内にあるか否かをチェックする（ステップＳ４０９）。
【０１０４】
このチェックにおいて、ＡＤＣ２３ｆによって確認される出力電圧が所定の誤差内でない場合には（ステップＳ４０９否定）、ソフトウエア制御コンバータ２３は、回路テーブル２３ｃを参照して出力値の補正処理を行った後（ステップＳ４１０）、電力供給スイッチ２５をオンにして、補正後の出力電圧を出力ケーブル３０に出力する（ステップＳ４１１）。その一方、出力値が所定の誤差内であれば（ステップＳ４０９肯定）、ソフトウエア制御コンバータ２３は、電力供給スイッチ２５をオンにして、補正なしの出力電圧を出力ケーブル３０に出力する（ステップＳ４１１）。
【０１０５】
このようにして負荷装置４０へ電力供給を定電流モードから定電圧モードに切り替えた後（ステップＳ４１１）、ソフトウエア制御コンバータ２３は、ＡＤＣ２３ｆによって確認される出力電流（すなわち、負荷装置４０の消費電流）が出力制御データの「カットオフ電流（８０ｍＡ）」以下となったかどうかをチェックする（ステップＳ４１２）。
【０１０６】
そして、出力電流が「カットオフ電流（８０ｍＡ）」以下になった場合には（ステップＳ４１２肯定）、ソフトウエア制御コンバータ２３は、電力供給スイッチ２５をオフにして、負荷装置４０への電力供給を停止させるとともに（ステップＳ４１３）、タイマ２３ｇのカウントを開始させる（ステップＳ４１４）。
【０１０７】
その後、このタイマ２３ｇのカウント時間が出力制御データの「待機時間（５ｍｉｎ）」を経過すると（ステップＳ４１５肯定）、ソフトウエア制御コンバータ２３は、これが３回目の待機時間経過である場合には（ステップＳ４１６肯定）、電力供給を再開することなく処理を終了する。
【０１０８】
これとは反対に、これが１回目または２回目の待機時間経過である場合には（ステップＳ４１６否定）、ソフトウエア制御コンバータ２３は、上記のステップＳ４０１に戻り、定電流モードおよび定電圧モードの電力供給を、２回目の待機時間経過まで繰り返す（ステップＳ４０１〜Ｓ４１６）。これによって、負荷装置４０としてのリチウム充電池に対して、図１３に例示したように、定電流モードおよび定電圧モードの電力供給を行うことが可能になる。
【０１０９】
なお、負荷装置４０への電力供給を停止させた後（ステップＳ４１３）においては、本体部２０は待機状態になることで、タイマ２３ｇによるカウントおよびチェック（ステップＳ４１４およびＳ４１５）の機能のみを実行し、５分後に再起動するようにしてもよい。また、実施例３のように、２回目以降の電力供給における出力電流（定電流モード）および出力電圧（定電圧モード）が１回目と同じである場合には、２回目以降の電力供給に際して、回路テーブル２３ｃから回路制御データ取得する処理（ステップＳ４０１やＳ４０７）や、出力電流および出力電圧の誤差をチェックする処理（ステップＳ４０３やＳ４０９）などを省略し、１回目と同じ出力電流および出力電圧をそのまま出力ケーブル３０に出力するようにしてもよい。
【０１１０】
また、上記した処理では、待機時間が３回目であることを条件に電力供給を完全に停止するようにしたが、かかる停止条件は上記の条件に必ずしも限定されるものではなく、例えば、電力供給を一旦停止した後にリチウム充電池（負荷装置４０）の放電状況を監視し、かかる放電状況に応じて電力供給を完全に停止するかどうかを判定するようにしてもよい。さらに、電力供給を完全に停止するようにする必要は必ずしもなく、例えば、待機時間の長さを徐々に長くして、電力供給を間欠的に継続するようにしてもよい。なお、この場合には、長さが違う待機時間を示す情報がＲＯＭ３１に記憶されることになる。
【０１１１】
［実施例３による効果］
上述してきたように、実施例３によれば、例えば、リチウム充電池などに対して、満充電の電圧になるまで定電流で電力を供給した後に、カットオフ電流の電流になるまで定電圧で電力を供給するので、急速かつ効率的な充電を実現することが可能になる。
【実施例４】
【０１１２】
さて、これまで本発明の実施例について説明したが、本発明は上述した実施例１〜３以外にも、種々の異なる形態にて実施されてよいものである。そこで、実施例４として、以下に示すように、（１）時間に応じた制御、（２）出力電流や出力電圧に応じた制御、（３）負荷装置の状況に応じた制御、（４）ＲＯＭ、（５）システム構成等、にそれぞれ区分けして異なる実施例を説明する。
【０１１３】
（１）時間に応じた制御
例えば、実施例１では、負荷装置４０としてのＰＨセンサ付き通信装置に電力を供給する場合を説明したが、本発明はこれに限定されるものではなく、他の負荷装置４０であっても、ＰＨセンサ付き通信装置のように所定の時間ごとに所定の消費電圧で動作させたい負荷機器４０であれば、同様に本発明を適用することができる。
【０１１４】
また、実施例１では、同一の時間間隔（１０ｍｉｎ毎）で同一の時間（２ｍｉｎ）ずつ同一の電圧（４．７８９Ｖ）を出力する場合を説明したが、本発明はこれに限定されるものではなく、図１６に例示するように、異なる時間間隔で異なる時間ずつ異なる電圧を出力するようにしてもよい。すなわち、この場合には、図１７に例示するように、ＲＯＭ３１には、複数の「出力時間、出力電圧、停止時間」の組合せからなる出力制御データを記憶することになる。
【０１１５】
また、このように、時間に応じて異なる電圧を出力する場合には、図１８に例示するように、細かい時間間隔で出力電圧を変化させることで、いわゆる所定の周期からなる正弦波形の電圧を負荷装置４０に供給するようにしてもよい。すなわち、この場合には、図１９に例示するように、ＲＯＭ３１には、１周期分の「出力時間、出力電圧」の組合せからなる出力制御データを記憶することになる。
【０１１６】
また、実施例１では、時間に応じて出力電圧を制御する場合を説明したが、本発明はこれに限定されるものではなく、図２０に例示するように、時間に応じて出力電流を制御するようにしてもよい。すなわち、この場合には、図２１に例示するように、ＲＯＭ３１には、複数の「出力時間、出力電流」の組合せからなる出力制御データを記憶することになる。
【０１１７】
以上を換言すれば、本発明は、ＲＯＭ３１に記憶した制御情報から所定の時間を示す情報および所定の出力電圧または出力電流を示す情報を取得し、当該所定の時間になった場合に、当該所定の出力電圧または出力電流で負荷装置４０に電力を供給するように制御するものであればよい。これによれば、時間に応じて供給電圧または供給電流を制御するので、必要な電圧または電流が予め決められた時間に応じて変化するような負荷機器４０に対して、無駄な電力を供給することなく、効率的に電力を供給することが可能になる。
【０１１８】
（２）出力電流や出力電圧に応じた制御
また、実施例２では、負荷装置４０としてのユーザ端末に電力を供給する場合を説明したが、本発明はこれに限定されるものではなく、他の負荷装置４０であっても、ユーザ端末のように何らの処理も行われない無動作状態になると消費電流が低下する負荷機器４０であれば、同様に本発明を適用することができる。
【０１１９】
また、実施例２では、出力電流（消費電流）に応じて電力供給を停止する場合を説明したが、必ずしも出力電圧をゼロに変化させる必要はなく、消費電流に応じて出力電圧を他の電圧に変化させるものであれば、同様に本発明を適用することができる。さらに、実施例２では、出力電流に応じて出力電圧を制御する場合を説明したが、本発明はこれに限定されるものではなく、出力電圧に応じて出力電流を制御するようにしてもよい。
【０１２０】
以上を換言すれば、本発明は、ＲＯＭ３１に記憶した制御情報から所定の出力電流を示す情報および所定の出力電圧を示す情報を取得し、負荷装置４０に対する出力電流が当該所定の出力電流になった場合に、当該所定の出力電圧で電力を供給するもの、または、負荷装置４０に対する出力電圧が当該所定の出力電圧になった場合に、当該所定の出力電流で電力を供給するものであればよい。
【０１２１】
これによれば、出力電流（負荷機器４０の消費電流）に応じて供給電圧を制御するので、必要な電圧が消費電流に応じて変化するような負荷機器４０に対して、無駄な電力を供給することなく、効率的に電力を供給することが可能になる。同様に、出力電圧（負荷機器０４の消費電圧）に応じて供給電流を制御するので、必要な電流が消費電圧に応じて変化するような負荷機器４０に対して、無駄な電力を供給することなく、効率的に電力を供給することが可能になる。
【０１２２】
（３）負荷装置の状況に応じた制御
また、実施例３では、負荷装置４０としてリチウム充電池に電力を供給する場合を説明したが、本発明はこれに限定されるものではなく、ニッカド充電池、ニッケル水素充電池、鉛蓄電池など、他の充電池に対しても、本発明を同様に適用することができる。
【０１２３】
また、実施例３では、負荷装置４０の状況として充電状況を取得する場合を説明したが、本発明はこれに限定されるものではなく、負荷装置４０の処理負荷など、他の状況情報を負荷装置４０から取得して電力制御に利用するようにしてもよい。
【０１２４】
すなわち、本発明は、ＲＯＭ３１に記憶した制御情報から負荷装置４０における所定の状況を示す情報および本体部２０における所定の出力電圧または出力電流を示す情報を取得し、負荷装置４０の状況が当該所定の状況になった場合に、当該所定の出力電圧または出力電流で負荷装置４０に電力を供給するように制御するものであればよい。これによれば、負荷装置４０の状況に応じて供給電圧または供給電流を制御するので、必要な電圧または電流が自らの状況に応じて変化するような負荷機器４０に対して、無駄な電力を供給することなく、効率的に電力を供給することが可能になる。
【０１２５】
（４）ＲＯＭ
また、実施例１〜３では、ＲＯＭ３１に実質的な制御情報（所定の時間、所定の出力電圧、所定の出力電流、所定の状況を示す情報そのもの）を記憶させる場合を説明したが、本発明はこれに限定されるものではなく、図２２に例示するように、これらを特定するための識別情報をＲＯＭ３１に記憶させるようにしてもよい。
【０１２６】
すなわち、この場合には、本体部２０において、図２３に例示するように、ＲＯＭ３１に記憶される識別情報に対応付けて実質的な制御情報（所定の時間、所定の出力電圧、所定の出力電流、所定の状況を示す情報）を記憶した識別テーブル２３ｈを備え、ＲＯＭ３１から識別情報を読み出した後に、当該識別情報に対応する実質的な制御情報を識別テーブル２３ｈから取得することになる。これによれば、本体部２０で実質的な制御情報を保持するので、出力ケーブル３０（ＲＯＭ３１）で保持すべき情報を少なくすることが可能になり、また、対応する識別情報がない不正な出力ケーブル３０の使用を排除することも可能になる。
【０１２７】
また、実施例１〜３では、ＲＯＭ３１に制御情報をテキストデータとして記憶する場合を説明したが、本発明はこれに限定されたものではなく、制御情報をバイナリデータとして記憶するようにしてもよい。すなわち、上記の実施例１〜３でフローチャートを用いて説明したような処理（電力供給処理）を実行するためのプログラム（バイナリデータ）をＲＯＭ３１に記憶させ、本体部２０が当該プログラムを直接解釈して実行することで、同様の処理を行うようにしてもよい。
【０１２８】
また、このように、バイナリデータ（プログラム）としての制御情報を用いる場合には、上記でも説明したように、プログラムを本体部２０の識別テーブル２３ｈに記憶し、ＲＯＭ３１にはプログラムを特定するための識別情報を記憶するようにしてもよい。
【０１２９】
また、実施例１〜３では、出力ケーブル３０内にＲＯＭ３１を設ける場合を説明したが、本発明はこれに限定されるものではなく、かかるＲＯＭ３１に代えて書き換え可能なＥＰＲＯＭを出力ケーブル３０に設けるようにしてもよい。これによれば、本体部２０のソフトウエア制御コンバータ２３や他装置（負荷装置４０など）から制御情報の書き込み（追加や更新）が可能になり、出力ケーブル３０の運用を円滑化することもできる。
【０１３０】
（５）システム構成等
また、上記の実施例１〜４において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報（特に、ＲＯＭ３１や回路テーブル２３ｃの情報）については、特記する場合を除いて任意に変更することができる。
【０１３１】
また、図示した各装置（特に、本体部２０）の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１３２】
また、上記の実施例では、本体部２０において回路制御データ（実制御コード）を比較器２２ｂのプラス端子にＤＡＣ２３ｅを介して入力し、分割抵抗２２ｃからの出力を比較器２２ｂのマイナス端子に入力することとしたが、本発明はこれに限定されるものではなく、いわゆる電子制御可変抵抗器を用いてＤＡＣ２３ｅを省略することもできる。
【０１３３】
なお、上記の実施例で説明した電源制御方法（電源供給処理の方法）は、あらかじめ用意されたプログラムを本体部２０のコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体や、上記したＲＯＭ３１に記録され、本体部２０のコンピュータによって記録媒体から読み出されることによって実行することもできる。つまり、例を挙げれば、実施例１〜３に示したような電源供給処理を実行するプログラムを格納したＲＯＭ３１（出力ケーブル３０）を配布し、このＲＯＭ３１に格納されたプログラムを本体部２０が読み出して実行するようにしてもよい。
【産業上の利用可能性】
【０１３４】
以上のように、本発明に係る電源装置、電源制御方法および電源制御プログラムは、電力を消費する負荷装置に出力ケーブルを介して電力を供給する場合に有用であり、特に、負荷機器に供給する電力を正確かつ簡易に時系列で調整することに適する。
【図面の簡単な説明】
【０１３５】
【図１】本発明に係る電源装置の概略構成を示すブロック図である。
【図２】実施例１に係る電源装置の構成を示すブロック図である。
【図３】実施例１における出力電圧の出力例を示す図である。
【図４】実施例１のＲＯＭに記憶される情報の構成例を示す図である。
【図５】実施例１の回路テーブルに記憶される情報の構成例を示す図である。
【図６】実施例１による電力供給処理の流れを示すフローチャートである。
【図７】実施例１による電力供給処理の流れを示すフローチャートである。
【図８】実施例２に係る電源装置の使用例を示す図である。
【図９】実施例２における出力電圧および出力電流の出力例を示す図である。
【図１０】実施例２のＲＯＭに記憶される情報の構成例を示す図である。
【図１１】実施例２による電力供給処理の流れを示すフローチャートである。
【図１２】実施例３に係る電源装置の使用例を示す図である。
【図１３】実施例３における出力電圧および出力電流の出力例、並びに、負荷装置の充電状況を示す図である。
【図１４】実施例３のＲＯＭに記憶される情報の構成例を示す図である。
【図１５】実施例３による電力供給処理の流れを示すフローチャートである。
【図１６】実施例４における出力電圧の出力例を示す図である。
【図１７】実施例４のＲＯＭに記憶される情報の構成例を示す図である。
【図１８】実施例４における出力電圧の出力例を示す図である。
【図１９】実施例４のＲＯＭに記憶される情報の構成例を示す図である。
【図２０】実施例４における出力電流の出力例を示す図である。
【図２１】実施例４のＲＯＭに記憶される情報の構成例を示す図である。
【図２２】実施例４のＲＯＭに記憶される情報の構成例を示す図である。
【図２３】実施例４の識別テーブルに記憶される情報の構成例を示す図である。
【符号の説明】
【０１３６】
１０  発電部
２０  本体部
２１  蓄電部
２２  電力変換部
２２ａ  スイッチングレギュレータ
２２ｂ  比較器
２２ｃ  分割抵抗
２３  ソフトウエア制御コンバータ
２３ａ  ＣＰＵ
２３ｂ  記憶部
２３ｃ  回路テーブル
２３ｄ  ＲＯＭインターフェース
２３ｅ  デジタルアナログコンバータ（ＤＡＣ）
２３ｆ  アナログデジタルコンバータ（ＡＤＣ）
２３ｇ  タイマ
２３ｈ  識別テーブル
２４  供給電流検出用電流センサ
２５  電力供給スイッチ
２６  ＲＯＭ向け電力供給部
３０  出力ケーブル
３１  ＲＯＭ
４０  負荷装置
【図１】
2006033962.tif 000003
【図２】
2006033962.tif 000004
【図３】
2006033962.tif 000005
【図４】
2006033962.tif 000006
【図５】
2006033962.tif 000007
【図６】
2006033962.tif 000008
【図７】
2006033962.tif 000009
【図８】
2006033962.tif 000010
【図９】
2006033962.tif 000011
【図１０】
2006033962.tif 000012
【図１１】
2006033962.tif 000013
【図１２】
2006033962.tif 000014
【図１３】
2006033962.tif 000015
【図１４】
2006033962.tif 000016
【図１５】
2006033962.tif 000017
【図１６】
2006033962.tif 000018
【図１７】
2006033962.tif 000019
【図１８】
2006033962.tif 000020
【図１９】
2006033962.tif 000021
【図２０】
2006033962.tif 000022
【図２１】
2006033962.tif 000023
【図２２】
2006033962.tif 000024
【図２３】
2006033962.tif 000025